(57)【要約】【課題】  車両の振動等によるドライバの意図しない誤った入力操作によって、車載機器がドライバの意に反して動作されるのを抑制できる入力制御装置を提供すること。【解決手段】  入力制御装置１０は、自動車２０に搭載され、ジョイスティック１１により操作されるステアバイワイヤ式のステアリング装置３０の動作を制御する。入力制御装置１０は、ジョイスティック１１と、舵角信号を出力する舵角センサ１２と、振動センサ１４と、舵角信号に基づいてステアリングモータ３１の回転を駆動制御するＥＣＵ４０とを備える。ＥＣＵ４０は、所定値以上の振動が振動センサ１４により検出された直後或いは検出されている間にジョイスティック１１の操作がなされたとき、その操作は正常な操作でないと判定し、ジョイスティック１１の操作を無効にする。【選択図】      図１
2006027394.tif 000002
【特許請求の範囲】
【請求項１】
操作部材により操作される車載機器の動作を制御する入力制御装置において、
前記操作部材の操作状態を検出し、操作信号を出力する操作状態検出手段と、
前記操作信号に応じて前記車載機器の動作を制御する制御手段と、
車両の走行状態を検出し、走行状態信号を出力する走行状態検出手段と、を備え、
前記制御手段は、前記操作信号と走行状態信号とに基づき、前記操作部材の操作がドライバの意図する正常な操作か否かを判定し、前記操作が正常な操作でないと判定した場合、前記操作部材の操作を無効にし或いはその操作量を減らす補正をすることを特徴とする入力制御装置。
【請求項２】
請求項１に記載の入力制御装置において、
前記走行状態検出手段は車両の振動を検出する振動センサを備え、
前記制御手段は、所定値以上の振動が前記振動センサにより検出された直後或いは検出されている間に前記操作部材の操作がなされたとき、その操作は前記正常な操作でないと判定することを特徴とする入力制御装置。
【請求項３】
請求項１又は２に記載の入力制御装置において、
前記車載機器は、前記操作部材の操作量に応じてステアリングモータを駆動制御して、操舵輪を操舵するステアバイワイヤ式のステアリング装置であることを特徴とする入力制御装置。
【請求項４】
請求項３に記載の入力制御装置において、
前記走行状態検出手段は、車両に作用する横加速度を検出する横加速度センサを備え、
前記制御手段は、前記横加速度が検出されている間、前記横加速度の方向と同じ方向へ操舵させる操作が前記操作部材によりなされたとき、その操作は前記正常な操作でないと判定し、その操作を無効にし或いはその操作量を減らす補正をすることを特徴とする入力制御装置。
【請求項５】
請求項４に記載の入力制御装置において、
前記操作部材にフォースフィードバック用の外力を与える外力付与手段と、前記外力付与手段を駆動するフォースフィードバック用アクチュエータとを備え、
前記制御手段は、前記フォースフィードバック用アクチュエータを、前記横加速度センサにより右方向の横加速度が検出されたとき前記操作部材に与える外力が右方向は左方向より大きくなるように駆動制御するとともに、前記横加速度センサにより左方向の横加速度が検出されたとき前記操作部材に与える外力が左方向は右方向より大きくなるように駆動制御することを特徴とする入力制御装置。
【発明の詳細な説明】
【技術分野】
【０００１】
本発明は、操作部材により操作されるステアリング装置等、各種の車載機器の動作を制御する入力制御装置に関する。
【背景技術】
【０００２】
自動車等の車両には、ドライバやその他の乗員により入力操作される多数の車載機器がある。これらの車載機器として、操舵輪をステアリングホイールで操舵するステアリング装置や、変速機をシフトレバーの操作で切り換えるシフト装置、オーディオ装置等がある。
【０００３】
また、近年、ステアリングホイール等の操作部材とステアリング機構とを機械的に連結せずに、ステアリング機構に設けたステアリングモータを操作部材の操作に基づき電気的に制御するバイワイヤ式のステアリング装置が知られている（例えば、特許文献１参照）。
【特許文献１】特開２００４−３４８３４号公報
【発明の開示】
【発明が解決しようとする課題】
【０００４】
ところで、上述したステアリング装置、シフト装置、オーディオ装置等の車載機器では、走行中に路面不整や横風等の外乱により発生する車両の振動等により、ドライバの意図しない入力操作がなされることがある。例えば、車両の振動等により、ドライバやその他の乗員の体の一部がステアリングホイール等の操作部材に触れてドライバの意図しない方向へステアリングホイールが操舵されたり、ドライバの意図しないギヤ段にシフトレバーが操作されたり、ドライバの意図しない音量にオーディオ装置が操作される場合等がある。
【０００５】
特に、特許文献１に記載されているようなステアバイワイヤ式のステアリング装置では、ステアリングホイールやジョイスティック等の操作部材は小さい操作力で操作可能である。このため、車両の振動等によりジョイスティック等の操作部材にドライバやその他の乗員の体の一部が触れたりして、ドライバの意図しない誤った入力操作が発生し易い。これと同様の問題は、シフトバイワイヤ式のシフト装置等でも起こる場合がある。このような誤った入力操作がなされると、スタアリング装置では車両の挙動が不安定になり、操縦性と安定性が損なわれるおそれがある。また、シフトバイワイヤ式のシフト装置では、ドライバの意図する速度やトルク等、所望の運転性能が得られなくなるおそれがある。また、オーディオ装置や空調装置等の車載機器では、車両の振動等により、ドライバの意図しない音量になったり、ドライバの意図しない温度や吹出しモードになると、乗員の快適性を損ねるおそれがある。
【０００６】
本発明は、このような事情に鑑みてなされたもので、その目的は、車両の振動等によるドライバの意図しない誤った入力操作によって、車載機器がドライバの意に反して動作されるのを抑制できる入力制御装置を提供することにある。
【課題を解決するための手段】
【０００７】
上記課題を解決するために、請求項１に係る発明は、操作部材により操作される車載機器の動作を制御する入力制御装置において、前記操作部材の操作状態を検出し、操作信号を出力する操作状態検出手段と、前記操作信号に応じて前記車載機器の動作を制御する制御手段と、車両の走行状態を検出し、走行状態信号を出力する走行状態検出手段と、を備
え、前記制御手段は、前記操作信号と走行状態信号とに基づき、前記操作部材の操作がドライバの意図する正常な操作か否かを判定し、前記操作が正常な操作でないと判定した場合、前記操作部材の操作を無効にし或いはその操作量を減らす補正をすることを要旨とする。
【０００８】
これによれば、操作信号と走行状態信号とに基づき、操作部材の操作がドライバの意図する正常な操作か否かを判定し、操作が正常な操作でないと判定された場合、その操作が無効にされ或いはその操作量を減らす補正がなされる。これにより、車両の振動等により、ドライバやその他の乗員の体の一部が操作部材に触れてドライバの意図しない誤った入力操作がなされた場合に、車載機器がドライバの意に反して動作されるのを抑制することができる。
【０００９】
請求項２に係る発明は、請求項１に記載の入力制御装置において、前記走行状態検出手段は車両の振動を検出する振動センサを備え、前記制御手段は、所定値以上の振動が前記振動センサにより検出された直後或いは検出されている間に前記操作部材の操作がなされたとき、その操作は前記正常な操作でないと判定することを要旨とする。
【００１０】
これによれば、所定値以上の振動の発生直後に或いはそのような振動の発生中に、操作部材の操作がなされたとき、その操作は正常な操作でないと判定され、その操作が無効にされ或いはその操作量を減らす補正がなされる。これにより、路面不整や横風等の外乱により発生する車両の振動により、ドライバやその他の乗員の体の一部が操作部材に触れてドライバの意図しない誤った入力操作がなされた場合に、車載機器がドライバの意に反して動作されるのを抑制することができる。
【００１１】
請求項３に係る発明は、請求項１又は２に記載の入力制御装置において、前記車載機器は、前記操作部材の操作量に応じてステアリングモータを駆動制御して、操舵輪を操舵するステアバイワイヤ式のステアリング装置であることを要旨とする。
【００１２】
これによれば、車両の振動等により、ドライバやその他の乗員の体の一部がジョイスティック等の操作部材に触れてドライバの意図しない方向へジョイスティックが操作された場合に、ステアバイワイヤ式のステアリング装置がドライバの意図しない方向へ操舵されるのを抑制することができる。これにより、操縦性と安定性が向上したステアバイワイヤ式のステアリング装置を実現することができる。
【００１３】
請求項４に係る発明は、請求項３に記載の入力制御装置において、前記走行状態検出手段は、車両に作用する横加速度を検出する横加速度センサを備え、前記制御手段は、前記横加速度が検出されている間、前記横加速度の方向と同じ方向へ操舵させる操作が前記操作部材によりなされたとき、その操作は前記正常な操作でないと判定し、その操作を無効にし或いはその操作量を減らす補正をすることを要旨とする。
【００１４】
これによれば、横加速度が検出されている間、横加速度の方向と同じ方向へ操舵させる操作が操作部材によりなされたとき、その操作は正常な操作でないと判定され、その操作が無効にされ或いはその操作量を減らす補正がなされる。これにより、ドライバの意に反するヨー運動が起こるのを抑制でき、車両の操縦性と安定性を向上させることができる。
【００１５】
請求項５に係る発明は、請求項４に記載の入力制御装置において、前記操作部材にフォースフィードバック用の外力を与える外力付与手段と、前記外力付与手段を駆動するフォースフィードバック用アクチュエータとを備え、前記制御手段は、前記フォースフィードバック用アクチュエータを、前記横加速度センサにより右方向の横加速度が検出されたとき前記操作部材に与える外力が右方向は左方向より大きくなるように駆動制御するととも
に、前記横加速度センサにより左方向の横加速度が検出されたとき前記操作部材に与える外力が左方向は右方向より大きくなるように駆動制御することを要旨とする。
【００１６】
これによれば、横加速度センサにより右方向の横加速度が検出されたとき、操作部材の操作反力が右方向は左方向より重くなり、横加速度センサにより左方向の横加速度が検出されたとき、操作部材の操作反力が左方向は右方向より重くなる。これにより、路面不整や横風等の外乱により発生する車両の振動により、ドライバやその他の乗員の体の一部が操作部材に触れて横加速度の方向と同じ方向へ操舵させるような、ドライバの意図しない入力操作が発生するのを抑制することができる。
【発明の効果】
【００１７】
本発明によれば、車両の振動等によるドライバの意図しない誤った入力操作によって、車載機器がドライバの意に反して動作されるのを抑制することができる。
【発明を実施するための最良の形態】
【００１８】
以下、本発明を具体化した入力制御装置の一実施形態を図面に基づいて説明する。
図１に示す一実施形態に係る入力制御装置１０は、操作部材としてのジョイスティック１１により操作される車載機器の動作を制御するものである。この入力制御装置１０は、車載機器の一例として、自動車２０に搭載され、ジョイスティック１１により操作されるステアバイワイヤ式のステアリング装置３０の動作を制御する構成になっている。
【００１９】
ステアバイワイヤ式のステアリング装置３０は、ジョイスティック１１を図１の矢印で示す左右方向へ操作すると、その操作に応じてステアリングモータ３１が回転し、その回転がギヤボックス３２内のラック＆ピ二オン式のステアリングギヤによりラック軸３３の横方向運動に変換される。ラック軸３３の横方向運動により左右のタイロッド３４，３４が左右に動き、これにより操舵輪である前輪２１，２１が、キングピン軸３５，３５を中心に左右方向に向きを変えて操舵されるようになっている。
【００２０】
このように、ステアリング装置３０は、ジョイスティック１１と、上記ステアリングギヤ等を含むステアリング機構とが機械的には切り離されており、ステアリングモータ３１の回転をジョイスティック１１の操作により制御して操舵輪の操舵を行う、いわゆるステアバイワイヤ式のステアリング装置となっている。
【００２１】
入力制御装置１０は、ジョイスティック１１と、ジョイスティック１１の操作状態を検出し、操作信号としての舵角信号を出力する操作状態検出手段としての舵角センサ１２と、その舵角信号に基づいてステアリングモータ３１の回転（車載機器の動作）を駆動制御する制御手段としてのＥＣＵ４０とを備えている。また、入力制御装置１０は、車両の走行状態を検出し、走行状態信号を出力する走行状態検出手段として、車速センサ１３、振動センサ１４、及び横加速度センサ（横Ｇセンサ）１５を備えている。
【００２２】
さらに、入力制御装置１０は、ジョイスティック１１にフォースフィードバック用の外力を与える外力付与手段としての外力付与機構１６と、ＥＣＵ４０により駆動制御されて外力付与機構１６を駆動するフォースフィードバック用アクチュエータ１７とを備えている。
【００２３】
ジョイスティック１１の軸部１８の下端部は支軸１９に固定され、この支軸１９は支持ケース２５に回転可能に支持されている。支持ケース２５は、ドライバがジョイスティック１１を操作し易い運転席の近くに配置されている。このように、ジョイスティック１１は図１の左右方向に操作できるように、支持ケース２５に揺動可能に支持されている。
【００２４】
舵角センサ１２は、ジョイスティック１１を左右方向に操作する際の舵角（操作状態）を検出し、舵角信号を出力する。この舵角信号は、例えば、その符号が負の舵角信号は、ジョイスティック１１を図１に示す中立位置から左方向へ操作した際の操作量を表わし、その符号が正の舵角信号は、ジョイスティック１１を中立位置から右方向へ操作した際の操作量を表わすものとする。
【００２５】
振動センサ１４は、走行中に路面不整等の外乱により発生する自動車２０の振動を検出し、その振動の大きさに応じた値の振動信号を走行状態信号として出力するもので、加速度センサで構成される。
【００２６】
車速センサ１３は、自動車２０における各種の電子制御で用いるセンサの１つとして一般の自動車に設けられているものを使用する。横加速度センサ１５は、図４（ａ），（ｂ）に示すようなコーナリング時に自動車２０の横方向に作用する横加速度（横Ｇ）５０，５１を検出し、その横加速度の大きさに応じた値の横Ｇ信号を走行状態信号として出力するもので、一般の自動車に設けられているものを使用する。
【００２７】
外力付与機構１６は、支軸１９に摩擦力やばねによる付勢力等の外力を与えて、ジョイスティック１１にフォースフィードバック用の外力を与える外力付与手段としての外力付与機構１６と、ＥＣＵ４０により駆動制御されて外力付与機構１６を駆動するフォースフィードバック用アクチュエータ１７とを備えている。
【００２８】
ＥＣＵ４０は、ＣＰＵ、ＲＯＭ、ＲＡＭ等を備えたマイクロコンピュータで構成されている。ＥＣＵ４０は、舵角センサ１２で検出されるジョイスティック１１の舵角及び車速センサ１３で検出される車速等に基づいて、ステアリングモータ３１を駆動制御するステアリング制御を、ＲＯＭに格納されたプログラムに従って実行するなっている。
【００２９】
また、ＥＣＵ４０は、そのようなステアリング制御の他に、以下の３つの制御を、ＲＯＭにそれぞれ格納されたプログラムに従って実行するなっている。
（１）操作信号と走行状態信号とに基づき、ジョイスティック１１の操作がドライバの意図する正常な操作か否かを判定し、その操作が正常な操作でないと判定した場合、ジョイスティック１１の操作を無効にする制御。具体的には、ＥＣＵ４０は、所定値以上の振動が振動センサ１４により検出された直後或いは検出されている間にジョイスティック１１の操作がなされたとき、その操作は正常な操作でないと判定し、ジョイスティック１１の操作を無効にする制御。
【００３０】
（２）横加速度センサ１５により横加速度５０，５１（図４（ａ），（ｂ）参照）のいずれかが検出されている間、横加速度５０又は５１の方向と同じ方向へ操舵させる操作がジョイスティック１１によりなされたとき、その操作はドライバの意図する正常な操作でないと判定し、その操作を無効にする制御。
【００３１】
（３）横加速度センサ１５により右方向の横加速度５０が検出されたときジョイスティック１１に与える外力が右方向は左方向より大きくなるとともに、横加速度センサ１５により左方向の横加速度５１が検出されたときジョイスティック１１に与える外力が左方向は右方向より大きくなるようにする、アクチュエータ１７の制御。
【００３２】
次に、ＥＣＵ４０の実行する上記（１）の制御を、図２に示すフローチャートに基づいて説明する。なお、ＥＣＵ４０は、図２に示す処理を所定時間毎に繰り返し実行する。
まず、ステップＳ１００では、自動車２０の振動を検出する振動センサ１４の出力値をサンプリングする。このサンプリング周期は、図２の処理を繰り返す所定時間より短い。
【００３３】
次のステップＳ１１０では、ステップＳ１００でサンプリングした振動センサ１４の出力値が所定値以上であるか否かを判定する。つまり、舵角センサ１２の出力値が所定値以上となるような急激な振動が発生しているか否かを判定する。なお、その所定値は、通常の走行中に発生する自動車２０の小さな振動は除外されるように、適宜な値に設定される。このステップＳ１１０での判定結果がＹｅｓの場合にはステップＳ１２０に進み、その判定結果がＮｏの場合には、自動車２０の振動によるドライバの意図しない正常でない操作がジョイスティック１１についてなされないと考えらえるので、図２の処理を一旦終了する。
【００３４】
ステップＳ１２０に進むと、急激な振動が発生して振動センサ１４の出力値が所定値以上になった時点からの時間ｔ１の計時を開始する。
次のステップＳ１３０では、ジョイスティック１１が操作されたか否かを判定する。ここでの判定は、舵角センサ１２の出力値が「０」のときは、ジョイスティック１１が操作されていない（操作無し）と判定し、その出力値が「０」以外の正又は負の値を持つときはジョイスティック１１が操作された（操作有り）と判定する。以下の説明においても、ジョイスティック１１が操作されたか否かの判定は同様にして行う。このステップＳ１３０での判定結果がＹｅｓの場合にはステップＳ１４０に進み、その判定結果がＮｏの場合には、図２の処理を一旦終了する。
【００３５】
ステップＳ１４０に進むと、ステップＳ１２０で計時を開始した時間ｔ１が所定時間以内か否かを、つまり、舵角センサ１２の出力値が所定値以上となるような急激な振動の発生直後か否かを判定する。急激な振動の発生時点からの時間ｔ１が所定時間を経過していないときには、急激な振動の発生直後と判定し、ステップＳ１５０に進む。また、その時間ｔ１が所定時間を経過したときは、急激な振動の発生直後でないと判定し、ステップＳ１６０に進む。
【００３６】
ステップＳ１５０に進む場合は、ステップＳ１３０で「操作有り」と判定されたジョイスティック１１の操作は、急激な振動によるドライバの意図しない正常でない操作と考えられるので、ジョイスティック１１の操作を無効にする。この後、図２の処理を一旦終了する。
【００３７】
一方、時間ｔ１が所定時間を経過してステップＳ１６０に進むと、上記ステップＳ１１０と同様に、ステップＳ１００でサンプリングした振動センサ１４の出力値が所定値以上であるか否かを再度判定する。つまり、急激な振動の発生時点から時間ｔ１が所定時間を経過している場合には、舵角センサ１２の出力値が所定値以上となるような急激な振動が発生しているか否かを再度判定する。
【００３８】
ステップＳ１６０での判定結果がＹｅｓで急激な振動が発生している場合、つまり振動発生中の場合には、ステップＳ１５０に進み、ジョイスティック１１の操作を無効にする。この後、図２の処理を一旦終了する。
【００３９】
一方、ステップＳ１６０での判定結果がＮｏで急激な振動は発生していない場合、つまり振動発生中でない場合には、ステップＳ１７０に進む。このように、ステップＳ１６０での判定結果がＮｏになる場合は、ステップＳ１３０で「操作有り」と判定されたジョイスティック１１の操作は、その操作時点が急激な振動発生直後でなくかつ振動発生中でもないので、ドライバの意図する正常な操作であることになる。したがって、このステップＳ１７０では、ステップＳ１３０で「操作有り」と判定されたジョイスティック１１の操作量に応じてステアリングモータ３１を駆動制御する。つまり、舵角センサ１２で検出されるジョイスティック１１の舵角及び車速センサ１３で検出される車速等に基づいて、ステアリングモータ３１を駆動制御する。
【００４０】
このようにして、ＥＣＵ４０は、所定値以上の急激な振動が振動センサ１４により検出された直後或いは検出されている間にジョイスティック１１の操作がなされたときには、その操作はドライバの意図しない正常な操作でないと判定する（ステップＳ１４０でＹｅｓ又はステップＳ１６０でＹｅｓ）。この判定時には、ステップＳ１５０でジョイスティック１１の操作を無効にする。一方、ＥＣＵ４０は、ジョイスティック１１の操作時点が急激な振動発生直後でなくかつ振動発生中でもないときには、その操作はドライバの意図する正常な操作であると判定し（ステップＳ１６０でＮｏ）、ステップＳ１７０でジョイスティック１１の操作量に応じてステアリングモータ３１を駆動制御しステアリング装置３０を動作させる。
【００４１】
次に、ＥＣＵ４０の実行する上記（２）の制御を、図３に示すフローチャートに基づいて説明する。なお、ＥＣＵ４０は、図３に示す処理を所定時間毎に繰り返し実行する。
まず、ステップＳ２００では、横加速度センサ１５の出力値（横Ｇ信号の値）をサンプリングする。このサンプリング周期は、図３の処理を繰り返す所定時間より短い。
【００４２】
図４（ａ）に示すように、自動車２０が左カーブを走行しているときには、進行方向に対して右方向の横加速度５０が発生する。このとき、横加速度センサ１５から出力される横加速度の大きさに応じた値の横Ｇ信号の符号を例えば正とする。また、図４（ｂ）に示すように、自動車２０が右カーブを走行しているときには、進行方向に対して左方向の横加速度５１が発生する。このとき、横加速度センサ１５から出力される横Ｇ信号の符号を例えば負とする。これにより、ステップＳ２００でサンプリングした横加速度センサ１５の出力値の符号が正であれば、右方向の横加速度５０が発生していると判定でき、その出力値の符号が負であれば、左方向の横加速度５１が発生していると判定できる。
【００４３】
次のステップＳ２１０では、図２のステップＳ１３０と同様に、ジョイスティック１１が操作されたか否かを判定する。この判定結果がＹｅｓの場合にはステップＳ２２０に進み、その判定結果がＮｏの場合には、図３の処理を一旦終了する。
【００４４】
ステップＳ２２０に進むと、ジョイスティック１１の操作方向が横加速度の方向と同じか否かを判定する。ジョイスティック１１の操作方向については、舵角センサ１２から負の舵角信号が出力される場合には、ジョイスティック１１の操作方向は左であり、同センサから正の舵角信号が出力される場合には、その操作方向が右であると判定できる。また、横加速度の方向については、上述したように、横加速度センサ１５の出力値の符号が正であれば右方向の横加速度５０（図４（ａ）参照）が発生しており、その出力値の符号が負であれば左方向の横加速度５１（図４（ｂ）参照）が発生していると判定できる。
【００４５】
ジョイスティック１１の操作方向が横加速度の方向と同じと判定される場合として、図４（ａ）に示す右方向の横加速度５０が発生しているときにジョイスティック１１の操作方向が右である場合と、図４（ｂ）に示す左方向の横加速度５１が発生しているときにジョイスティック１１の操作方向が左である場合とがある。このように、ジョイスティック１１の操作方向が横加速度の方向と同じ場合には、ステップＳ２２０の判定結果がＹｅｓとなり、ステップＳ２３０に進む。一方、ジョイスティック１１の操作方向が横加速度の方向と同じでない場合には、ステップＳ２２０の判定結果がＮｏとなり、ステップＳ２４０に進む。
【００４６】
ステップＳ２３０に進む場合は、ジョイスティック１１の操作はドライバの意図しない正常でない操作と判定された場合であるので、ステップＳ２３０では、図２の上記ステップＳ１５０と同様に、ジョイスティック１１の操作を無効にする。この後、図３の処理を一旦終了する。
【００４７】
一方、ステップＳ２４０に進む場合は、ジョイスティック１１の操作はドライバの意図する正常な操作であると判定された場合であるので、ステップＳ２４０では、図２の上記ステップＳ１７０と同様に、ステップＳ２１０で「操作有り」と判定されたジョイスティック１１の操作量に応じてステアリングモータ３１を駆動制御する。この後、図３の処理を一旦終了する。
【００４８】
このようにして、ＥＣＵ４０は、横加速度センサ１５により横加速度５０，５１のいずれかが検出されている間、横加速度５０又は５１の方向と同じ方向へ操舵させる操作がジョイスティック１１によりなされたとき、その操作はドライバの意図する正常な操作でないと判定し（ステップＳ２２０でＹｅｓ）、その操作を無効にする（ステップＳ２３０）。一方、ＥＣＵ４０は、横加速度５０，５１のいずれかが検出されている間、横加速度５０又は５１の方向とは異なる方向へ操舵させる操作がジョイスティック１１によりなされたとき、その操作はドライバの意図する正常な操作であると判定する（ステップＳ２２０でＮｏ）。この判定時には、ステップＳ２４０でジョイスティック１１の操作量に応じてステアリングモータ３１を駆動制御しステアリング装置３０を動作させる。
【００４９】
次に、ＥＣＵ４０の実行する上記（３）の制御を、図５に示すフローチャートに基づいて説明する。なお、ＥＣＵ４０は、図５に示す処理を所定時間毎に繰り返し実行する。
まず、ステップＳ３００では、図３のステップＳ２００と同様に、横加速度センサ１５の出力値（横Ｇ信号の値）をサンプリングする。このサンプリング周期は、図５の処理を繰り返す所定時間より短い。
【００５０】
次のステップＳ３１０では、横加速度の方向は右か否かを判定する。ここでの判定は、図３の上記ステップＳ２２０と同様に、横加速度センサ１５の出力値の符号が正であれば右方向の横加速度５０（図４（ａ）参照）が発生しており、その出力値の符号が負であれば左方向の横加速度５１（図４（ｂ）参照）が発生していると判定できる。右方向の横加速度５０が発生しており横加速度の方向が右であると判定される場合には、ステップＳ３１０の判定結果はＹｅｓとなり、ステップＳ３２０に進む。一方、左方向の横加速度５１が発生しており横加速度の方向が左であると判定される場合には、ステップＳ３１０の判定結果はＮｏとなり、ステップＳ３３０に進む。
【００５１】
ステップＳ３２０に進むと、外力付与機構１６によりジョイスティック１１に与える外力がその右方向操作時はその左方向操作時より大きくなるように、アクチュエータ１７を駆動制御する。これにより、ジョイスティック１１を右方向に操作する際の反力（操作反力）はこれを左方向に操作する際の反力（操作反力）より大きくなるので、ジョイスティック１１の右方向への操作は左方向への操作よりも重くなる。
【００５２】
一方、ステップＳ３３０に進むと、外力付与機構１６によりジョイスティック１１に与える外力がその左方向操作時はその右方向操作時より大きくなるように、アクチュエータ１７を駆動制御する。これにより、ジョイスティック１１を左方向に操作する際の反力はこれを右方向に操作する際の反力より大きくなるので、ジョイスティック１１の左方向への操作は右方向への操作よりも重くなる。
【００５３】
以上のように構成された一実施形態によれば、以下の作用効果を奏する。
○上記（１）の制御により、所定値以上の振動の発生直後に或いはそのような振動の発生中に、ジョイスティック１１の操作がなされたとき、その操作は正常な操作でないと判定され、その操作が無効にされる。これにより、路面不整や横風等の外乱により発生する自動車２０の振動により、ドライバやその他の乗員の体の一部がジョイスティック１１に触れてドライバの意図しない誤った入力操作がなされた場合に、ステアバイワイヤ式のス
テアリング装置３０がドライバの意に反して動作されるのを抑制することができる。
【００５４】
○ステアバイワイヤ式のステアリング装置３０がドライバの意図しない方向へ操舵されるのを抑制することができるので、操縦性と安定性が向上したステアリング装置３０を実現することができる。
【００５５】
○上記（２）の制御により、横加速度５０，５１のいずれかが検出されている間、横加速度の方向と同じ方向へ操舵させる操作がジョイスティック１１によりなされたとき、その操作は正常な操作でないと判定され、その操作が無効にされる。これにより、ドライバの意に反するヨー運動が起こるのを抑制でき、自動車２０の操縦性と安定性を向上させることができる。
【００５６】
○上記（３）の制御により、横加速度センサ１５により右方向の横加速度５０が検出されたとき、ジョイスティック１１の操作反力が右方向は左方向より重くなり、横加速度センサにより左方向の横加速度５１が検出されたとき、操作部材の操作反力が左方向は右方向より重くなる。これにより、路面不整や横風等の外乱により発生する車両の振動により、ドライバやその他の乗員の体の一部がジョイスティック１１に触れて横加速度の方向と同じ方向へ操舵させるような、ドライバの意図しない入力操作が発生するのを抑制することができる。
【００５７】
なお、この発明は以下のように変更して具体化することもできる。
・上記一実施形態で説明したステアバイワイヤ式のステアリング装置３０は一例であって、本発明は、ＥＣＵがステアリングモータの回転をジョイスティックの操作に応じて駆動制御して操舵輪の操舵を行う、いわゆるステアバイワイヤ式のステアリング装置に広く適用可能である。
【００５８】
・上記一実施形態では、上記（１）の制御により、所定値以上の急激な振動が振動センサ１４により検出された直後或いは検出されている間にジョイスティック１１の操作がなされたとき、その操作は正常な操作でないと判定し、ステップＳ１５０でジョイスティック１１の操作を無効にするようになっている。本発明は、このような構成に限定されない。ステップＳ１５０において、ジョイスティック１１の操作を無効にする代わりに、ジョイスティック１１の操作量、つまり舵角センサ１２で実際に検出される実舵角を減らす補正を行い、その補正後の操作量（舵角）に基づいてステアリングモータ３１を駆動制御する構成にしても良い。
【００５９】
その補正は、例えば、図２のステップＳ１１０における所定値以上の急激な振動の大きさ（振動センサ１４の出力値）に応じて前記実舵角を減らす量を大きくするように、予め用意したマップに基づき或いは所定の計算式によって、補正後の操作量（舵角）を算出するようにすれば良い。
【００６０】
・上記一実施形態では、本発明に係る入力制御装置を自動車に適用した構成を一例として説明したが、本発明は自動車以外の車両、例えばトラック、バス等にも適用可能であることは、言うまでもない。
【００６１】
・上記一実施形態では、ＥＣＵ４０が上記ステアリング制御の他に、上記（１）の制御と上記（２）の制御の両方を行う入力制御装置について一例として説明したが、本発明はこのような構成に限定されない。例えば、本発明は、ＥＣＵ４０がステアリング制御の他に上記（１）の制御のみを行うもの、或いはＥＣＵ４０がステアリング制御の他に上記（２）の制御のみを行うものにも適用可能である。
【００６２】
・上記一実施形態では、入力制御装置１０を、車載機器の一例として、ジョイスティック１１により操作されるステアバイワイヤ式のステアリング装置３０の動作を制御する構成とした。しかし、本発明に係る入力制御装置は、上記ステアバイワイヤ式のステアリング装置３０の代わりに、シフトバイワイヤ式のシフト装置、オーディオ装置、空調装置等の車載機器の動作を制御する構成として良い。
【００６３】
本発明に係る入力制御装置をシフトバイワイヤ式のシフト装置に適用した場合には、ドライバの意図する速度やトルク等、所望の運転性能が得られなくなるという不具合の発生を抑制することができる。また、本発明に係る入力制御装置を、オーディオ装置や空調装置等に適用した場合には、車両の振動等により、ドライバの意図しない音量になったり、ドライバの意図しない温度や吹出しモードになるといった、乗員の快適性を損ねるような事態の発生を抑制することができる。
【００６４】
・上記一実施形態では、入力制御装置１０のＥＣＵ４０により、１つの車載機器（ステアバイワイヤ式のステアリング装置３０）の動作を制御する構成としているが、本発明はこのような構成に限定されない。例えば、入力制御装置１０のＥＣＵ４０により、複数の車載機器、例えば、ステアバイワイヤ式のステアリング装置３０、シフトバイワイヤ式のシフト装置、オーディオ装置、空調装置等の車載機器の動作を制御する構成として良い。
【００６５】
・また、上記複数の車載機器毎にＥＣＵ４０と同様のＥＣＵを個別に設ける構成としても良い。
【図面の簡単な説明】
【００６６】
【図１】一実施形態に係る入力制御装置を示す構成図。
【図２】同装置が実行する制御の１つを示すフローチャート。
【図３】同装置が実行する別の制御を示すフローチャート。
【図４】（ａ）は右方向の横加速度が発生する走行状態を示す説明図、（ｂ）は左方向の横加速度が発生する走行状態を示す説明す。
【図５】同装置が実行する別の制御を示すフローチャート。
【符号の説明】
【００６７】
１０…入力制御装置、１４…振動センサ、１５…横加速度センサ、１７…フォースフィードバック用アクチュエータ、３０…ステアリング装置、３１…ステアリングモータ、５０，５１…横加速度。
【図１】
2006027394.tif 000003
【図２】
2006027394.tif 000004
【図３】
2006027394.tif 000005
【図４】
2006027394.tif 000006
【図５】
2006027394.tif 000007